(57)【特許請求の範囲】
【請求項１】
刈込機本体と、複数の板状櫛刃を摺動させて芝を刈り込む刈込手段と、板状の保護部材とを有する手持刈込機であって、前記刈込手段が前記刈込機本体の前方にあり、前記板状保護部材は、前記刈込手段の前方かつ上方にあたる位置において、前記刈込手段が芝を刈り込む刈込面に対して壁をなすよう起立して配設され、該板状保護部材の下縁と前記刈込手段の前方端との間には所定の空隙が介在され、さらに該板状保護部材は前記刈込手段の前方上方から側方上方にまで延び、
前記刈込手段の上方において該板状保護部材が取り囲んでなす空間に、前記刈込手段前方の所定の空隙を介して、芝を刈り込みながら捕集しうるようにしたことを特徴とする芝刈用の手持刈込機。
【請求項２】
前記刈込機本体に前記刈込手段の下方ないし後方にかけて配される受皿が取り付けられ、該受皿に前記保護部材が取り付けられていることを特徴とする請求項１に記載の手持刈込機。
【請求項３】
前記刈込手段が芝を刈り込む刈込面と、前記板状保護部材の下縁との間に間隙があることを特徴とする請求項１又は２のいずれか１項に記載の手持刈込機。
【請求項４】
前記間隙の幅を調節しうるようにしたことを特徴とする請求項３に記載の手持刈込機。
【請求項５】
前記保護部材の下縁に切込及び／又は櫛歯を設けたことを特徴とする請求項１〜４のいずれか１項に記載の手持刈込機。
【請求項６】
複数の板状櫛刃を摺動させて芝を刈り込む刈込手段を刈込機本体の前方に有する手持刈込機に用いる板状の保護部材であって、
該板状保護部材を刈込機本体に取り付けたとき、
前記板状保護部材は前記刈込手段の前方かつ上方にあたる位置において、前記刈込手段が芝を刈り込む刈込面に対して壁をなすよう起立して配され、このとき該板状保護部材の下縁と前記刈込手段の前方端との間には所定の空隙が介在され、さらに該板状保護部材は前記刈込手段の前方上方から側方上方にまで延びるようにされ、
前記刈込手段の上方において前記板状保護部材が取り囲んでなす空間に、前記刈込手段前方の所定の空隙を介して、芝を刈り込みながら捕集しうるようにされることを特徴とする芝刈りの手持刈込機用保護部材。
【発明の詳細な説明】
【技術分野】
【０００１】  本発明は芝の刈り込みに好適に用いられる手持刈込機及び手持刈込機用保護部材に関する。
【背景技術】
【０００２】  モータ等の動力を備えた刈込機本体の前方に回転式、摺動式等の刃を備えた手持刈込み機が芝や植木の刈り込みに用いられる。このような手持刈込機は、片手で持って刈込作業を行うことができ、狭いところや複雑に入り組んだようなところでも作業しうる、取り扱い性の高いものである。一方、従来の手持刈込機は刈り込まれた草木を回収する捕集機構を有さず、刈り込まれた草木はそのまま散在し、刈り込みの後に刈込屑を取り除く必要がある。【０００３】  とりわけ芝の刈り込みにおいては煩雑な作業が強いられる。というのも芝の刈り込み屑（一般に「サッチ」と呼ばれる。）は残された芝とからみ合い、刈込屑のみを分離して取り除き回収することは難しい。しかも、このサッチは放置しておくと芝の成長を妨げることがあり、サッチの放置された部分の芝が枯れてしまうことがある。このような芝の刈込屑等を捕集することに鑑み、手持刈込機の刃の下方ないし後方に受皿を設けたものが提案されている（特許文献１参照）。【０００４】  また、手持刈込機は上述のとおり通常片手で持って刈込作業を行うことができる。そのため本体を動かしやすく取り扱い性に優れる。しかし、その反面、目的としない部分の草木やその他の物を切断してしまわないよう安全に細心の注意を要する。ところで、鋼線を折り曲げたフレームを刈込刃の側方直下部ないし側方直上部に取り付けた手持電動バリカンが開示されている（特許文献２参照）。これにより主に芝の刈込長さを調節することができ、刈込刃の側方直上・直下の物が刈込刃の部分に入り込みにくくなるとされる。【０００５】
【特許文献１】特開２００４−４１１４０号公報
【特許文献２】特開２００２−３３５７６１号公報
【発明の開示】
【発明が解決しようとする課題】
【０００６】  本発明は、芝を刈り込んだときに出される刈り込み屑を、特別な装置や余計な作業を要さずに捕集することができ、しかも芝を刈り込むときの安全性を高めることができる手持刈込機の提供を目的とする。また、特に芝刈りにより出されるサッチを捕集しながら刈り込むことができ、効率的な芝刈り作業とともに芝の良好な成長を実現し、かつ不用意に手持刈込機の電源コード等を切断してしまうようなことを抑制・防止しうる、安全性の高い芝刈用の手持刈込機及びその保護部材の提供を目的とする。
【課題を解決するための手段】
【０００７】  上記の目的は、刈込機本体と、複数の板状櫛刃を摺動させて芝を刈り込む刈込手段と、板状の保護部材とを有する手持刈込機であって、前記刈込手段が前記刈込機本体の前方にあり、前記板状保護部材は、前記刈込手段の前方かつ上方にあたる位置において、前記刈込手段が芝を刈り込む刈込面に対して壁をなすよう起立して配設され、該板状保護部材の下縁と前記刈込手段の前方端との間には所定の空隙が介在され、さらに該板状保護部材は前記刈込手段の前方上方から側方上方にまで延び、前記刈込手段の上方において該板状保護部材が取り囲んでなす空間に、前記刈込手段前方の所定の空隙を介して、芝を刈り込みながら捕集しうるようにした芝刈用の手持刈込機によって達成された。
また、上記の目的は、複数の板状櫛刃を摺動させて芝を刈り込む刈込手段を刈込機本体の前方に有する手持刈込機に用いる板状の保護部材であって、該板状保護部材を前記刈込機本体に取り付けたとき、該板状保護部材は前記刈込手段の前方かつ上方にあたる位置において、前記刈込手段が芝を刈り込む刈込面に対して壁をなすよう起立して配される、このとき該板状保護部材の下縁と前記刈込手段の前方端との間には所定の空隙が介在され、さらに該板状保護部材は前記刈込手段の前方上方から側方上方にまで延びるようにされ、前記刈込手段の上方において前記板状保護部材が取り囲んでなす空間に、前記刈込手段前方の所定の空隙を介して、芝を刈り込みながら捕集しうるようにされる芝刈りの手持刈込機用保護部材によって達成された。
【発明の効果】
【０００８】  本発明の芝刈用手持刈込機及びその保護部材によれば、芝の刈り込み屑を、特別な装置や余計な作業を要さずに捕集することができ、しかも芝を刈り込むときの安全性が高められるという優れた作用効果を奏する。また、本発明の手持刈込機及びその保護部材は、特に芝を刈り込むときに出されるサッチを効率的に捕集しながら刈り込みを行うことができ、効率的な芝刈り作業とともに芝の良好な成長を実現し、かつ不用意に手持刈込機の電源コード等を切断してしまうようなことを抑制・防止しうるという高い安全性を有する。
【発明を実施するための最良の形態】
【０００９】  以下、本発明について添付の図面に基づき詳細に説明する。図１は本発明の手持刈込機の一実施形態を模式的に示す側面図であり、図２はこの平面図である。【００１０】  本実施形態の芝刈用の手持刈込機１０は刈込機本体２と、刈込手段４と、板状の保護部材１とを有する。刈込機本体はモータ（図示せず）を備えており、これにより上刃４ａ及び下刃４ｂが互いに摺動するように一定の振角で回動させる。そして、この上刃４ａ及び下刃４ｂが刈込手段４を構成し、この両刃の摺動により草木（以下、「草木」というとき主に「芝」を意味する。）を刈り込むことができる。このときモータを動かすための電力は電源コード７を通じて本体２に送られる。刈込手段４は本実施形態のように摺動式のものである。刈込手段４の材料、構造、モータによる駆動機構、本体への取り付け形態等は、通常この種の手持刈込機に用いられる材料ないし形態等を採用すればよい。【００１１】  刈込機本体２には、握り穴６が設けられている。通常この穴６の部分に親指を除く４本の指を差し込むように添え、一方刈込機本体の上部に親指を添える。このようにして、刈込機本体を握り穴６の上部において手掌で握る。そして、人差し指が配される部分には始動スイッチ５が設けられており、これを押し込んで上記モータを始動し、刈り込み作業を行うことができる。このとき、安全スイッチ（図示せず）を更に親指で押し込める位置に設け、より安全な刈り込み作業をしうるようにしてもよい。【００１２】  本実施形態の手持刈込機１０においては更に受皿３が設けられている。この受皿３には本体に設置するための嵌合凹部３ｃがあり、本体側の嵌合凸部２ａと嵌め合わされて本体に取り付けられている。さらに本実施形態において受皿３には下方支持部３ａがあり、本体２に固定して取り付けられるようにされている。ただし、受皿３は取り外し可能にされており、保護部材１とともに、必要に応じて特別な器具や煩雑な作業を要さずに取り付けたり、取り外したりすることができる。受皿３の底部３ｂは略平面状にされており、草木の刈込作業において生じた刈込屑を捕集することができる。ただし、本発明においては、後述するように、保護部材１により形成される捕集領域８の底部を刈込手段４がなし、刈込屑を捕集することができる。そのため、上記の受皿３ないしこの底部３ｂはなくてもよいが、後方にこぼれ落ちる刈込屑を的確に捕集しうる点で、上記受皿３を備えることが好ましい。この受皿３の材料はどのようなものでもよく、成形性ないし軽量であることに鑑みプラスチック製のものを用いることができる。【００１３】  本実施形態の刈込機１０においては、刈込機本体２の前方に刈込手段４が設けられており、更に刈込手段４の前方であり、かつ上方にあたる位置に板状保護部材１が設けられている。ここで、刈込機の前方とは、刈込作業において刈込機を動かしていく方向（ｘ方向、図１参照）をいう。詳述すると、本発明において、板状保護部材１は刈込手段４の前方（ｘ方向）に設けられ（保護部材前部ｆ、図２参照）、さらに板状保護部材１が刈込手段の側方に延ばされている（保護部材側部ｅ、図２参照）。そして、刈込手段４の上方（ｙ方向）に保護部材１があるとは、より具体的��いうと、保護部材１の前部下縁１１ａは、刈込手段４が草木を刈り込んでいく刈込面１２より上方（芝刈りにおいては通常地面１３と反対の方向）にあることをいう。なお、保護部材１の下縁１１については、前部ｆにあたる部分を前部下縁１１ａといい、側部ｓにあたる部分を側部下縁１１ｂといい、それぞれ区別していうことがある。【００１４】  このように板状の保護部材１が刈込手段４の前方かつ上方にあることで、例えば刈込機１０を前方（ｘ方向）に動かして刈り込みを行うときに、草木以外の障害物があっても、まず保護部材１がその障害物に当たり刈込手段４までの侵入を抑制・防止しうる。例えば、刈込機の電源コード７を作業領域に広く亙って届くように５ｍとか１０ｍとかの長さにすることがある。すると、コード７が刈込機の前方にくるような作業となってしまうことがあるが、そのようなときにも、保護部材１がコード７に当たれば、刈込手段４による不用意な切断を防ぐことができる。特に電源コード７のように柔軟に変形する物で、例えば線状の保護部材では防ぎきれないものに対しても、本発明においては板状の保護部材を特に採用したことにより、不用意な切断をより確実に防ぐことができる。そのほか、刈込機のコード７以外の庭園設備のコードや、庭木、作業者もしくは他者の身体（手指等）に対しても同様の保護作用を発揮する。【００１５】  また後述するように、捕集領域８に捕集された刈込屑は通常その絡みつきにより個々の屑となり散乱してしまうことなく、保護部材前部ｆに対して、刈込手段４自体が捕集領域８の底部をなし、その上方に刈込屑が積みあがる。そして、これが高く積み上げられたときに、これが刈込手段４の側方に崩れ落ちないように保護部材側部ｅが配設されている。【００１６】  そして板状保護部材１は、本実施形態のように、刈込手段４が草木を刈り込んでいく刈込面１２に対して壁をなすようにされている（本発明において壁をなすとは、基底面に対して斜めないし垂直となって壁のように立った構造をなすことをいい、通常基底面に対して約６０〜１２０°の範囲で立っていることをいい、７０〜１１０°であることが好ましく、８０〜１００°であることがより好ましい。）。このような壁をなす板状の保護部材とすることで、上述の保護作用とともに、この内側に効果的に刈込屑を捕集することができる。このとき、より多量の刈込屑を捕集しうるよう、つまり捕集領域８の容量を増すよう、板状保護部材の上方にいくにつれて広がるようにしてもよく、逆に積み上げられた刈込屑がこぼれ落ちないように上方にいくにつれて狭くなるようにしてもよい。また、上記の板状とは図示したような平板形状だけではなく、所定の折曲部や湾曲部を有していてもよい。さらに、金属線を編んで形成された金網状のものや、金属の長尺板を組み合わせて形成したものでもよい。保護部材１の材料はどのようなものでもよく、例えばアルミ板などの金属製の板、プラスチックやカーボンファイバ等の樹脂製の板等が挙げられる。保護部材の高さｗは特に限定されないが、芝の刈り取りにおいて、取り扱い性と捕集量とを考慮すると、例えば１０〜２００ｍｍとすることが好ましく、２０〜１２０ｍｍとすることがより好ましく、４０〜１００ｍｍとするこ��が特に好ましい。【００１７】  保護部材の長さ（前部ｆと側部ｅとを合わせた長さ）は特に限定されず、刈込手段４の大きさに応じて定めればよく、例えば保護部材１と刈込手段４との平面視における間隔ｖ（図２）が、３〜３０ｍｍ程度確保される長さで配設することが好ましく、５〜２０ｍｍ確保されるように配設することがより好ましい。具体的には、刈込手段のサイズにもよるが、保護部材前部ｆの長さを１００〜３００ｍｍとすることが挙げられ、側部ｅを５０〜２００ｍｍとすることが挙げられる。【００１８】  本実施形態の刈込機１０においては、保護部材１が受皿３に固定具（ネジ及びナット）９により固定されている。このとき、本実施形態のように受皿３を本体２と取り外し自在とすれば、必要に応じて保護部材１を受皿３ごと取り外すことができる。このような取り外し自在の態様とすることで、例えば保護部材１が干渉するために刈り込みきれない狭小な空間や庭園の隅のほうの刈り込みにおいて、保護部材１を適宜に取り外して作業しうる利点がある。なお、受皿３を設けなくてもよく、保護部材を直接本体に取り付けるようにしてもよい。また、保護部材１を取り外し可能としてもよい。【００１９】  本実施形態の刈込機１０においては、刈込手段４が草木を刈込む刈込面１２と保護部材１の前部下縁１１ａとの間に間隙ｔがあけられている。この間隙ｔは草木を刈り込む長さに応じて必要な幅だけ設ければよく、例えば、より長く（大きく）刈り込みたいときには間隙ｔを大きく取り、より短く（小さく）刈り込みたいときには間隙ｔを小さくすればよい。また上記の間隔ｖとの関係で定めてもよい。芝の刈り込みについては詳細を後述するが、この間隙ｔを介して草木が取り込まれ、刈込手段４に到達し、刈り込み面１２で草木が切り取られる。間隙ｔは特に限定されないが、芝の刈り取りにおいては例えば０．５〜２０ｍｍとすることが好ましく、１〜１２ｍｍとすることがより好ましく、３〜１０ｍｍとすることが特に好ましい。【００２０】  図３は本発明の手持刈込機の別の好ましい実施形態について保護部材の周辺を拡大して模式的に示す側面図である。本実施形態においては、保護部材１が角度変更可能な固定具３１により受皿３に取り付けられている。このようにすることで、保護部材１をその固定具３１の部分を軸にして回動させ、保護部材１ａの位置に移動することができる。本実施形態においては、所望の草木の刈り込み残し長さに応じて、基準面（地面）１３と刈込面１２との間隙ｓを固定するようにして使用することができる。本実施形態においては、このとき刈込機本体の高さ位置（間隙ｓ）を変化させて調節しうるようにしてもよい。
本実施形態においては、先に述べたように草木が間隙ｔを介して取り込まれながら刈込面１２で切り取られる。これを、保護部材１ａの位置に変更することで、間隙ｔは間隙ｕにまで広げられ、ここから草木がとりこまれつつ切り取られる。すなわち、保護部材の下縁１１ａを上げたり、あるいは逆に下げたりして草木が取り込まれる状態を自在に調節することができる。さらに、芝の刈り込みについていうと、芝が伸びすぎているようなときには保護部材を下げた位置に設定にして用い、あまり伸びていないようなときには保護部材１ａの位置にして上げた位置に設定にして用いることができる。さらに、固定具を多様な角度に小刻みに回動固定しうる態様にして、より細かく調節できるようにしてもよい。固定具の回動角度は特に限定されないが、例えば、上下３０°の範囲で回動固定可能とする態様が挙げられる。あるいは、さらに大きく刈込面１２に対して側部下縁１１ｂが略垂直になるにまで大きく回動しうるようにし、保護部材を取り外したときと同様の状態とし、上述のような狭小領域等の刈り込みを好適に行うことができる。【００２１】  図４は本発明の刈込機による芝刈り作業における刈込初期の状態を模式的に示す拡大側面図であり、図５はその刈り込み後期の拡大側面図である。図４に示したように、刈込機を始動し地面１３に沿わせ前方（ｘ方向）に移動することにより、芝２１は保護部材１の内側に取り込まれる。そして芝２１が保護部材の前部下縁１１ａによりやや折り曲げられながら捕集領域８に移行し、刈込手段４に到達して芝残部２２とサッチ２３とに切断される。そして、さらに刈込機を前方に動かして刈込作業を継続すると、刈り込み作業後期には、図５に示したように保護部材１の高さ方向（ｙ方向）にサッチが積み上げられ、多量のサッチ２３が保護部材の捕集領域８に収集される。このとき、芝のサッチは、幅が数ミリメートル、長さが数十ミリメートルであることが通常であり、細長く、絡みつくようにまとまって捕集される。このため、刈り込み作業程度の刈込機の動きでは捕集されたサッチ２３が例えば後方（ｘ方向と逆の方向）や、刈込手段の刃の隙間からこぼれ落ちてしまうことはあまりなく、的確なサッチの捕集が実現される。このようなサッチの絡みつき作用を高めるために、例えば刈り取り前の芝に適量の水を散布しておくことが好ましい。これにより、サッチが互いにまとわりつく作用が高められ、一層効果的な捕集効果が得られる。【００２２】  図６は本発明の刈込機のさらに別の実施形態について保護部材の周辺を拡大して示す側面図である。図７は図６に示した保護部材をＶＩＩの方向からみた正面図である。これらの図に示したように、本実施形態の板状保護部材１（１ｂ）には、その下部に切込３１が設けられている。この切込３１は芝等が捕集領域８に取り込まれるとき、その取り込みをスムースにする作用を有する。具体的にいうと、上記図４及び図５で示したように芝の刈り込みを例にいうと、芝は保護部材の前部下縁１１ａによりやや折れ曲がりながら捕集領域に入っていく。そして、この入り込みの際に刈込手段４により芝は刈り込まれる。このとき、本実施形態のように保護部材の下縁１１ａに切込３１があると芝がそこを通過しながら捕集領域８へと移行するため、芝の折れ曲がりが緩和され、一層抵抗なく刈り込み作業を行うことができる。また、本実施形態の切込３１は大きすぎず、一度捕集した刈込屑が下縁１１ａの部分から簡単にこぼれ落ちていかない点で好ましい。【００２３】  切込３１の切込幅３１ｗは特に限定されないが、１〜２０ｍｍであることが好ましく、３〜１０ｍｍであることがより好ましい。切込３１の高さ３１ｈは特に限定されないが３〜４０ｍｍであることが好ましく、５〜２５ｍｍであることがより好ましい。切込を設けるピッチ３１ｐは特に限定されないが、５〜５０ｍｍであることが好ましく、１０〜３０ｍｍであることがより好ましい。【００２４】  本実施形態の保護部材１ｂにおいては、さらにその前部下縁１１ａに櫛歯３２が配設されている。この櫛歯は、上記の切込３１の両側で切込と平行に、つまり切込機本体の上下方向（ｙ方向）に沿って連設されている。そして、この櫛歯３２は、板面を刈込機の前後方向（ｘ方向）に配向して配設している。このように、切込３１と組み合わせて櫛歯３２を配置することで、上述した芝等が保護部材の下縁１１ａで折り曲げられ捕集領域８に入り込みにくくなる影響を一層改善することができる。すなわち、切込３１を介して芝等が移行しながらスムースな刈込作業が実現されることは上述したとおりであるが、櫛歯３１があることにより芝等が一層効果的にガイドされ切込３１に移行しやすくなる。このとき、例えば芝等が折れ曲がったり倒れこんだりしていても、櫛歯３２によって起立させられ、縦長の切込３１に入り込みやすくなる。また、このように櫛歯３２によって梳きそろえながら芝等を捕集領域８に移行させることにより、刈込機の前方への移動を滑らかにするだけでなく、刈込手段４による刈り込み抵抗を低減し、しかも所望の刈り込み長さに的確に調節しうる点で好ましい。さらに、櫛歯３２に上述の作用を高めるための前後方向（ｘ方向）のテーパーを設けてもよい。【００２５】  櫛歯の高さ３２ｈは特に限定されないが、例えば５〜５０ｍｍであることが好ましく、１０〜４０ｍｍであることがより好ましい。櫛歯のピッチ３２ｐは特限定されないが、その好ましい範囲は先に述べた切込みのピッチ３１ｐと同様である。本実施形態の保護部材１ｂにおいては切込３１と櫛歯３２とを組み合わせた形態を示しているが、これらのいずれかを採用したものであっても、またこれらのいずれかもしくは両者を別の構造部材と組み合わせて用いてもよい。また、本実施形態のように切込３１と櫛歯３２とを交互に１つずつ配置してもよいが、それ以外の配列で配設してもよい。例えば切込を小刻みに多数設けて、その要所にのみ櫛歯を設けてもよく、あるいは小刻みに小さな櫛歯を多数設けて、その要所にのみ切込を設けてもよい。【００２６】  図８は、本発明の刈込機のさらにまた別の実施形態について保護部材の周辺を拡大して示す側面図である。本実施形態の保護部材１（１ｃ）は前面部を中心に屈曲部３３を有し、その下部にスカート部３４が形成されている。このスカート部３４は、保護部材の前部下縁１１ａに向かって傾斜的に広がる状態にされている。これにより、前部下縁１１ａからの芝等の入り込みが促され、より滑らかな刈り込み作業���実現することができる。屈曲部３３を設ける位置は特に限定されないが、本実施形態のように少なくとも保護部材前面部に設けることが好ましく、必要により側面部に延ばしてもよい。屈曲部の高さは特に限定されないが、保護部材の中央から下縁の間（下部）であることが実際的である。スカート部３４を形成する傾斜角度θは特に限定されないが、２〜４５°の範囲内とすることが実際的である。【００２７】  上記においては、本発明の手持刈込機について、芝の刈り込みを主な実施態様として述べたが、本発明はこれにより限定して解釈されるものではない。
【実施例】
【００２８】  以下に本発明を実施例に基づき更に詳細に説明するが、本発明はこれにより限定して解釈されるものではない。【００２９】（比較例）
比較のための手持刈込機（リョービ社製、電気バリカンＡＢ−１１００（商品名））を用い、７月初旬に先の刈り込みから約２週間たった長さ約５０〜１００ｍｍの高麗芝の刈込試験を行った。この比較刈込機は刈込手段として総刃幅約１０５ｍｍの２枚の摺動する刃を備えたものである。なお本機は受け皿３を有すが、保護部材１を有さない。上記の刈込試験においては、およそ縦５００ｍｍ×横５００ｍｍの範囲の芝面を、比較刈込機を前方（ｘ方向）に動かしながら芝を刈り込んだ。刈り込み当初、刈込手段（摺動式の刃）の上及び受け皿に刈り込まれた芝（サッチ）が幾らか乗ったが、次第にこぼれ落ちた。その後も芝の刈り込みに応じてサッチはこぼれ落ち、刈り込まれた芝の上にほとんどのサッチが残された。上記の刈込作業を終えた比較刈込機上に残されたサッチの量は４．７ｇであった。【００３０】（実施例）
上記芝の刈込試験に用いた手持刈込機を、保護部材１を図１のようにして上記比較刈込機に取り付けた本発明の刈込機に代えた以外、上記比較例と同様にして、高麗芝の刈り込みを行った。このとき保護部材１としては、高さｗは約６０ｍｍ、長さ（前部ｆと側部ｅとの合計）約３００ｍｍ、厚さ０．５ｍｍのアルミ製の板を、図１の形状に加工したものを用いた。そして、この板状保護部材１を受皿３にボルト及びナットにより取り付け固定した。保護部材１と刈込手段４との間隙ｔは約５ｍｍとし、間隔ｖは約１５ｍｍとした。【００３１】  刈込試験において刈り込まれたサッチは保護部材１の捕集領域８からほとんどこぼれ落ちることなく捕集された。捕集されたサッチの量は５０．７ｇであった。【００３２】  残されたサッチの除去作業をいれると、本発明の手持刈込機によれば約１／５程度の時間で刈り込みを終えることができた。ただし、比較刈込機によるのでは前記サッチの除去作業の後も相当のサッチが残され、十分に回収することはできなかった。これに対し、本発明の手持刈込機によれば、芝面にほとんどサッチは残されなかった。【００３３】  また、比較刈込機においては前方の障害物等に細心の注意を要し時間がかかる原因になったが、本発明の刈込機における作業においては過度の注意を要さずに安全かつ効率的に刈り込み作業を行うことができた。
【図面の簡単な説明】
【００３４】
【図１】本発明の手持刈込機の一実施形態を模式的に示す側面図である。
【図２】本発明の手持刈込機の一実施形態を模式的に示す平面図である。
【図３】本発明の手持刈込機の別の実施形態について保護部材の周辺を模式的に示す拡大側面図である。
【図４】本発明の刈込機による芝刈り作業における刈込初期の状態を模式的に示す拡大側面図である。
【図５】本発明の刈込機による芝刈り作業における刈込後期の状態を模式的に示す拡大側面図である。
【図６】本発明の手持刈込機のさらに別の実施形態について保護部材の周辺を模式的に示す拡大側面図である。
【図７】図６に示した保護部材をＶＩＩの方向からみた正面図である。
【図８】本発明の刈込機のさらにまた別の実施形態について保護部材の周辺を模式的に示す拡大側面図である。
【符号の説明】
【００３５】１  板状保護部材、２  刈込機本体、３  受皿、４  刈込手段、５  始動スイッチ、６  握り穴、７  電源コード、８  捕集領域、９，３１  固定具、１０  手持刈込機、１１  保護部材下縁（１１ａ  前部下縁，１１ｂ  側部下縁）、１２  刈込面、１３  基準面（地面）、２１  芝、２２  刈り込まれた後に残された芝（芝残部）、２３  刈り込まれた芝（サッチ）、３１  切込、３２  櫛歯、３３  屈曲部、３４  スカート部
【図１】
0004239037.tif 000002
【図２】
0004239037.tif 000003
【図３】
0004239037.tif 000004
【図４】
0004239037.tif 000005
【図５】
0004239037.tif 000006
【図６】
0004239037.tif 000007
【図７】
0004239037.tif 000008
【図８】
0004239037.tif 000009